(57)【要約】    【課題】簡単な構造で安価に製造でき、海面付近で傾斜姿勢をとるフカセ釣用浮きの提供。    【解決手段】浮き２０は、浮き本体２２と、これに嵌め込まれたスリーブ２３とを有する。スリーブ２３は、浮力調整用錘２６と嵌合部材２７とを有し、両者が嵌め合わされている。浮力調整用錘２６は、真鍮等の金属からなり、嵌合部材２７は樹脂からなる。浮力調整用錘２６は、環状部２８と、これに連続する延設部２９とを有し、浮き２０の中心に対して非対称型に形成されている。具体的には、浮力調整用錘２６は単一の部材であって、その一部が切り欠かれたパイプ部材から構成される。【選択図】図１
2005210946.tif 000002
【特許請求の範囲】
【請求項１】
糸挿通孔が貫通形成された浮き本体と、
糸挿通孔に嵌め込まれた浮力調整用錘とを備え、
当該浮力調整用錘は、上記糸挿通孔の中心軸を中心とする非対称型環状部材からなるフカセ釣用浮き。
【請求項２】
上記浮力調整用錘は、その一部が切り欠かれたパイプ部材からなる請求項１に記載のフカセ釣用浮き。
【請求項３】
上記浮き本体は、径方向最大寸法と軸方向最大寸法との比が１／３〜１／４である細長紡錘形に形成されている請求項１又は２に記載のフカセ釣用浮き。
【請求項４】
上記浮き本体の端部は、視認性に劣る色彩が付されている請求項３に記載のフカセ釣用浮き。
【発明の詳細な説明】
【技術分野】
【０００１】
本発明は、釣りに使用される浮き、特にいわゆるフカセ釣りに適用される浮きの構造に関するものである。
【背景技術】
【０００２】
釣りのジャンルに「浮きフカセ釣り」というものがある。浮きフカセ釣りは、文字通り「浮き」と称されるアイテムを用いて魚を釣ろうとするものであるが、特に、せいぜい１０グラム程度の重量に抑えられた仕掛けが採用される釣法である。図１１は、一般的な浮きフカセ釣りの仕掛けによる釣りの様子を示す模式図であり、図１２は、海中で仕掛けが安定した状態を示す模式図である。
【０００３】
同図が示すように浮きフカセ釣りでは、仕掛け１は、道糸２と、連結具７（通常「サルカン」と称される。）を介して道糸２に連結されたハリス３と、ハリス３の先端に設けられた釣針４と、道糸２に装着された浮き５とを有する。浮き５の仕様は従来から種々提案されているが、この仕掛け１では、浮き５はいわゆる中通しタイプのものである。中通しタイプの浮き５では、一般に同図が示すような紡錘形に形成されており、浮力調整用の錘が内蔵されている。また、浮き５には、その長手方向に沿って糸挿通孔１１が形成されており、道糸２がこの糸挿通孔１１に挿通され、浮き５は、道糸２に沿って自在にスライドすることができるようになっている。
【０００４】
浮き５は、海中に投入された状態で所定の浮力を備え、これにより、海面６付近で鉛直方向に沿って直立した姿勢で浮かぶようになっている。通常、道糸２には浮止具８が設けられ、これにより浮き５は、サルカン７と浮止具８との間でスライドする。なお、仕掛け１が海中で安定的に配置されるために、ハリス３には、錘９が適宜装着される。この錘９は、通常「ガン玉」と称され、種々のサイズが予め用意されている。錘９は、そのサイズに応じて重量が０．０６ｇ〜３ｇ程度に設定されている。
【０００５】
このように構成された仕掛け１が海中に投入されると、釣針４、ハリス３、ガン玉９、サルカン７等に作用する重力によって釣針４等が海中に沈んでいき、道糸２が海面６に浮かんだ浮き５に対して相対的に矢印１０の方向に沿ってスライドする。そして、図１２が示すように、道糸２に設けられた浮止具８が浮き５に当接した時点で、当該仕掛け１が海中で安定する。
【０００６】
ところで、海上の状況は刻々と変化し、場合によっては潮流が速くなったり、風が強くなったりする。図１２が示すように、従来の浮き５では、道糸２が海面から一旦立ち上がり、その後浮き５の内部に挿通されることから、従来から、特に風が強い場合には道糸２が風に吹かれ、その結果、海中の仕掛け１が海面６側へ持ち上げられるという問題が指摘されていた。この問題が解決されるために、従来では、海面付近で傾斜して浮かぶ浮きが提案されており（例えば、特許文献１参照）、このような浮きによれば、道糸は海面から滑らかに浮きの内部に挿通される。
【０００７】
【特許文献１】特開平１１−２８９９３６号公報
【発明の開示】
【発明が解決しようとする課題】
【０００８】
海面付近で傾斜した姿勢をとる従来の浮きは、浮力調整用の錘に加えて重心位置を変化させるための偏心用重りを備えている。しかし、このような偏心用重りが採用されると、別途新たな部品が必要となり、また、浮きの製造工程において、浮力調整用錘と別に偏心用重りを搭載するための工程が必要となることから、浮きの製造コストが大幅に上昇するという問題があった。
【０００９】
そこで、本発明の目的は、簡単な構造で安価に製造でき、海面付近で傾斜姿勢をとるフカセ釣用浮きを提供することである。
【課題を解決するための手段】
【００１０】
(1) 上記目的が達成されるため、本願に係るフカセ釣用浮きは、糸挿通孔が貫通形成された浮き本体と、糸挿通孔に嵌め込まれた浮力調整用錘とを備え、当該浮力調整用錘は、上記糸挿通孔の中心軸を中心とする非対称型環状部材からなることを特徴とするものである。
【００１１】
この構成によれば、浮力調整用錘が糸挿通孔に嵌め込まれることによって、当該浮力調整用錘が糸挿通孔の一部を構成し、釣糸（道糸等）は、浮き本体を挿通する。つまり、当該フカセ釣用浮きは、中通しタイプの浮きを構成する。しかも、浮力調整用錘は、非対称型環状部材からなるので、当該浮力調整用重りが浮き本体に装着されることによって、当該フカセ釣用浮きの重心が偏倚される。したがって、当該フカセ釣用浮きは、海中に投入されたときに、海面付近で傾斜した状態で浮かぶことができる。また、重心が偏倚されるために、単一の浮力調整用錘が採用されるので、当該フカセ釣用浮きの製造工程が複雑になることはない。
【００１２】
(2) 上記浮力調整用錘は、その一部が切り欠かれたパイプ部材から構成され得る。この構成では、パイプ部材の一部が切り欠かれることによって、簡単に上記非対称型環状部材が形成される。したがって、フカセ釣用浮きの部品コスト引いてはフカセ釣用浮きの製造コストの低減が図られる。
【００１３】
(3) さらに、上記浮き本体は、径方向最大寸法と軸方向最大寸法との比が１／３〜１／４である細長紡錘形に形成されているのが好ましい。この構成では、浮き本体が海面付近で横たわった状態で配置されることから、当該フカセ釣用浮きは、釣人にとってきわめて視認性の高いものとなる。しかし、仕掛けに魚がコンタクトした場合（いわゆる「アタリ」が生じたとき）は、海面付近で横たわっていた浮き本体が海中で起立することになるから、釣人にとって視認性が大きく低下する。なぜなら、浮き本体が水中で起立したときは、釣人は、細長紡錘形に形成された浮き本体の端部のみを視認できるにすぎないからである。つまり、釣人は、アタリが生じる前においてはフカセ釣用浮きをはっきりと視認することができるのに対し、アタリが生じた後には、フカセ釣用浮きを視認することが困難となる。このことはすなわち、釣人は当該アタリを確実に捉えることができるということになる。
【００１４】
(4) 加えて、上記浮き本体の端部は、視認性に劣る色彩が付されているのが好ましい。この構成では、上記アタリが生じたときは、釣人は一層フカセ釣用浮きを視認することが困難となり、場合によっては、釣人から見て、アタリと同時にフカセ釣用浮きが視界から消えてしまうことになる。したがって、釣人にとっては、当該アタリをより一層確実に捉えることができるという利点がある。
【発明の効果】
【００１５】
以上のように本発明によれば、浮力を規定する浮力調整用錘が単一の非対称型環状部材からなるので、フカセ釣用浮きの部品点数及び組立コストが増大することがなく、その結果、海面付近で傾斜して浮かぶフカセ釣用浮きが簡単な構造で安価に提供される。
【発明を実施するための最良の形態】
【００１６】
以下、適宜図面が参照されつつ、好ましい実施形態に基づいて本発明が詳細に説明される。
【００１７】
＜第１の実施形態＞
図１は、本発明の第１の実施形態に係るフカセ釣用浮き（以下、単に「浮き」と称される。）の断面図であり、実際に使用されている状態が図示されている。
この浮き２０は、海面２１付近で傾斜した姿勢となって浮かぶように構成されており、浮き本体２２と、スリーブ２３とを備えている。本実施形態に係る浮き２０の特徴とするところは、スリーブ２３を構成する浮力調整用錘２６が後述の形状に構成されている点であり、これにより、浮き２０は、簡単な製造工程により安価に製造されるようになっている点である。
【００１８】
浮き本体２２は、同図が示すように紡錘形状に形成されており、例えば樹脂、木材等により構成されている。もっとも、浮き本体２２の外形形状は紡錘形に限定されるものではなく、円錐形やその他の種々の形状が採用され得る。浮き本体２２の中心には、軸方向に沿って貫通孔が形成されており、この貫通孔にスリーブ２３が嵌め込まれて固定されている。スリーブ２３は、後述のように環状に形成されており、道糸２４が挿通される糸挿通孔２５を構成している。したがって、この浮き２０は、いわゆる中通しタイプであり、同図では、この糸挿通孔２５に道糸２４が挿通されている。
【００１９】
図２は、スリーブ２３の分解斜視図である。
スリーブ２３は、浮力調整用錘２６と、これと嵌め合わされる嵌合部材２７とを備えている。同図では、浮力調整用錘２６と嵌合部材２７とは分離された状態で図示されているが、これらが互いに接合されて円筒状のスリーブ２３が構成される。
【００２０】
浮力調整用錘２６は、真鍮、鉛、タングステン合金等の比較的比重の大きい金属から構成される。浮力調整用錘２６は、環状部２８と、これに連続する延設部２９とを備えている。そして、この環状部２８が上記糸挿通孔２５の一部を区画形成する。換言すれば、浮力調整用錘２６は、円筒状の部材の一部が軸方向に沿う仮想切断面で切断されたような形状を呈し、糸挿通孔２５の中心軸を中心とする非対称型環状部材として構成されている。
【００２１】
一方、嵌合部材２７は、樹脂等の浮力調整用錘２６を構成する材料よりも比重が小さい材料で構成されており、その形状は、浮力調整用錘２６と略同様である。すなわち、嵌合部材２７は、環状部３０と延設部３１とを備える。環状部３０は、浮力調整用錘２６の環状部２８と同様の形状である。そして、延設部３１が浮力調整用錘２６の延設部２９と対向配置され、環状部３０の内側の端面３２に浮力調整用錘２６の延設部２９の端面が当接される。浮力調整用錘２６と嵌合部材２７とは例えば接着剤等により固着され、これにより、単一のスリーブ２３が構成されている。
【００２２】
図３及び図４は、それぞれ図２におけるIII−III断面図及びIV−IV断面図である。
これらの図が示すように、浮力調整用錘２６の延設部２９及び嵌合部材２７の延設部３１は、共に円弧状に湾曲形成されており、両者が対向配置されることによって（図４参照）、全体として環状に形成されている。そして、両者の内部空間が上記糸挿通孔２５を形成している。なお、本実施形態では、嵌合部材２７の延設部３１が主体的に糸挿通孔２４５を区画形成しているが、浮力調整用錘２６の延設部２９が主体的に糸挿通孔２５を区画形成するものであってもよい。
【００２３】
このように形成されたスリーブ２３では、その重心が偏倚されていることから、当該スリーブ２３が浮き本体２２の貫通孔に嵌め込まれることによって、浮き２０の重心も糸挿通孔２５の中心から偏倚し、実釣時において浮き２０は、図１が示すように海面２１付近で傾斜した姿勢で浮かぶことになる。したがって、道糸２４は、滑らかに糸挿通孔２５に挿通される。しかも、浮き２０の重心が偏倚されるために、単一の浮力調整用錘２６が採用されるので、従来のように重心を偏倚させるための別部材を浮き本体２２に組み込む必要がなく、したがって浮き本体２２への特別の加工を必要としないので、当該浮き２０の製造工程が単純であり、コスト安価に製造される。
【００２４】
特に本実施形態では、浮力調整用錘２６は、パイプ部材の一部が切り欠かれた形状である。したがって、上記非対称型の浮力調整用錘２６が簡単かつ安価に製造される。したがって、浮き２０の部品コストも低減され、その結果、浮き２０は、さらに安価に製造されるという利点がある。
【００２５】
なお、本実施形態では、浮力調整用錘２６に上記嵌合部材２７が嵌め合わされることによって円筒状のスリーブ２３が形成され、道糸２４がきわめて滑らかに糸挿通孔２５を挿通することができる。ただし、この嵌合部材２７は省略されてもよい。
【００２６】
また、図５及び図６は、それぞれ、本実施形態の第１及び第２の変更例に係るスリーブ３３、３４の斜視図である。
【００２７】
第１の変更例に係るスリーブ３３は、円筒状を呈し、浮力調整用錘３５及び嵌合部材３６とを備えている。浮力調整用錘３５は真鍮等の金属からなり、嵌合部材３６は樹脂からなる。この変形例では、円筒状の部材が長手方向に対して交差する仮想切断面で切断されることにより、一方が浮力調整用錘３５を構成し、他方が嵌合部材３６を構成する態様である。
【００２８】
一方、スリーブ３４は、円筒状を呈し、真鍮等の金属により構成されている。本変形例では、スリーブ３４が浮力調整用錘を兼ねている。スリーブ３４は、図６が示すように、その周面の一部が周方向に沿って切り欠かれており、窓部３７が形成されている。このようにスリーブ３４が切り欠かれることによって、スリーブ３４の重心がその中心から偏倚し、その結果、浮き２０の重心も偏倚される。
【００２９】
＜第２の実施形態＞
次に、本発明の第２の実施形態について説明される。
図７は、本発明の第２の実施形態に係る浮き４０の正面図であり、図８は、断面図である。
【００３０】
本実施形態に係る浮き４０が上記実施形態に係る浮き２０と異なるところは、浮き本体４１の外形形状が細長紡錘形に形成されている点、そのために必要な設計変更がスリーブ４２に施されている点、及び浮き本体４１の頭部４３（端部）は、視認性の低い塗料が塗布されている点である。なお、その他の構成については、上記浮き２０と同様である。
【００３１】
浮き本体４１は、樹脂や木材等により構成されている。浮き本体４１の長手方向寸法Ｌは、４０ｍｍ〜６０ｍｍの範囲で適宜設定され、外径寸法Ｄは、８ｍｍ〜１５ｍｍの範囲で適宜設定される。この場合、寸法Ｌと寸法Ｄとの比は、１／３〜１／４の範囲で設定される。浮き本体４１の中心には、長手方向に沿って貫通孔が形成されており、この貫通孔にスリーブ４２が嵌め込まれている。
【００３２】
また、浮き本体４１は、頭部４３を除いて蛍光オレンジ、や蛍光イエロー等、視認性に優れる塗料が塗布されている。浮き本体４１の頭部４３は、本実施形態では銀色塗料が塗布されているが、この色に限定されるものではなく、一般に釣人にとって視認性に劣るカラーであればよい。
【００３３】
スリーブ４２は、真鍮等の金属からなる浮力調整用錘４４及び樹脂からなる嵌合部材４５とを備えている。浮力調整用錘４４及び嵌合部材４５は、それぞれ、上記第１の実施形態に係るスリーブ２３と同様に環状部４７、４８及び延設部４９、５０を備え、両者が嵌め合わされることによって円筒状のスリーブ４２が構成される。このスリーブ４２の内部空間は、糸挿通孔２５を構成する。ただし、本実施形態では、浮き本体４１の外形形状が細長紡錘形であるため、下端部４６の外径寸法が小さくなる。そのため、浮力調整用錘４４の環状部４７は、浮き本体４１の下面に当接され、その状態でスリーブ４２が浮き本体４１内に挿通されている。
【００３４】
図９及び図１０は、実釣時における浮き４０の海面付近での姿勢を示す図である。
スリーブ４２が前述の構成であるから、本実施形態に係る浮き４０においても、その重心が偏倚される。また、浮き本体４１は、前述のような細長紡錘形に形成されている。これらのことから、実釣時においては、図９が示すように、浮き本体４１が海面２１付近で横たわった状態で配置される。したがって、道糸２４が滑らかに糸挿通孔２５に挿入されると共に、浮き４０は、釣人にとってきわめて視認性の高いものとなる。
【００３５】
ここで、仕掛けに魚がコンタクトした場合（いわゆる「アタリ」が生じたとき）は、図１０が示すように、海面２１付近で横たわっていた浮き本体４１が海中で起立することになる。つまり、浮き４０は、その頭部４３が釣人側に向くことになる。このため、釣人にとっては、浮き４０を視認することが困難となる。しかし、釣人にとっては、海面２１付近に浮かんでいた浮き４０が突然に見えにくくなるから、それが「アタリ」であると容易に判断することができる。
【００３６】
もっとも、本実施形態においても、浮き４０の重心を偏倚させるために上記構造の浮力調整用錘４４が採用されているから、上記第１の実施形態に係る浮き２０と同様に、コスト安価に浮き４０が製造されるという利点がある。
【００３７】
加えて、本実施形態では、浮き本体４１の頭部４３には、視認性に劣る色彩が付されているから、上記「アタリ」が生じたときは、釣人は浮き４０を視認することが一層困難となる。したがって、釣人から見て、アタリと同時に浮き４０が視界から消えてしまうことになり、釣人にとっては、「アタリ」をより一層確実に捉えることができるという利点がある。
【産業上の利用可能性】
【００３８】
本発明は、釣用の浮き、特に浮きフカセ釣りに使用される浮きに適用され得る。
【図面の簡単な説明】
【００３９】
【図１】図１は、本発明の第１の実施形態に係る浮きの断面図である。
【図２】図２は、本発明の第１の実施形態に係る浮きのスリーブの構造を示す分解斜視図である。
【図３】図３は、図２におけるIII−III断面図である。
【図４】図４は、図２におけるIV−IV断面図である。
【図５】図５は、本発明の第１の実施形態の第１の変形例に係るスリーブの斜視図である。
【図６】図６は、本発明の第１の実施形態の第２の変形例に係るスリーブの斜視図である。
【図７】図７は、本発明の第２の実施形態に係る浮きの正面図である。
【図８】図８は、本発明の第２の実施形態に係る浮きの断面図である。
【図９】図９は、本発明の第２の実施形態に係る浮きの実釣時における海面付近での姿勢を示す図である。
【図１０】図１０は、本発明の第２の実施形態に係る浮きの実釣時における海面付近での姿勢を示す図である。
【図１１】図１１は、一般的な浮きフカセ釣りの仕掛けによる釣りの様子を示す模式図である。
【図１２】図１２は、海中で仕掛けが安定した状態を示す模式図である。
【符号の説明】
【００４０】
２０・・・浮き
２１・・・海面
２２・・・浮き本体
２３・・・スリーブ
２４・・・道糸
２５・・・糸挿通孔
２６・・・浮力調整用錘
２８・・・環状部
２９・・・延設部
３３・・・スリーブ
３４・・・スリーブ
３５・・・浮力調整用錘
４０・・・浮き
４１・・・浮き本体
４２・・・スリーブ
４３・・・頭部
４４・・・浮力調整用錘
４６・・・下端部
４７・・・環状部
４９・・・延設部
【図１】
2005210946.tif 000003
【図２】
2005210946.tif 000004
【図３】
2005210946.tif 000005
【図４】
2005210946.tif 000006
【図５】
2005210946.tif 000007
【図６】
2005210946.tif 000008
【図７】
2005210946.tif 000009
【図８】
2005210946.tif 000010
【図９】
2005210946.tif 000011
【図１０】
2005210946.tif 000012
【図１１】
2005210946.tif 000013
【図１２】
2005210946.tif 000014